(57)【特許請求の範囲】
【請求項１】
効果音の発音のための前処理と後処理と効果音の発音処理とを行う出力処理手段と、
撮影の開始に連動して前記出力処理手段による第一の効果音の出力処理を開始し、撮影の終了のタイミングに関わらず該第一の効果音の発音を最後まで行い、
前記第一の効果音の出力処理が終了した後に撮影が終了する場合は該撮影の終了に連動して前記出力処理手段による第二の効果音の出力処理を行うよう制御し、
前記第一の効果音の出力処理が終了する前に撮影が終了する場合は前記第一の効果音の出力終了に連動して前記出力処理手段による第二の効果音の出力処理を行うよう制御する制御手段とを有し、
前記制御手段は、前記出力処理手段が、
前記第一の効果音の後処理と前記第二の効果音の前処理のうちの少なくとも一部を省いた処理を行うよう制御し、
前記後処理はスピーカーＯＦＦ設定を含み、前記前処理はスピーカーＯＮ設定を含み、前記制御手段は、前記第一の効果音の発音後のスピーカＯＦＦ設定及び前記第二の効果音の発音前のスピーカーＯＮ設定を省いた処理を行うように制御することを特徴とする撮像装置。
【請求項２】
効果音の発音のための前処理と後処理と効果音の発音処理とを行う出力処理手段と、
撮影の開始に連動して前記出力処理手段による第一の効果音の出力処理を開始し、撮影の終了のタイミングに関わらず該第一の効果音の発音を最後まで行い、
前記第一の効果音の出力処理が終了した後に撮影が終了する場合は該撮影の終了に連動して前記出力処理手段による第二の効果音の出力処理を行うよう制御し、
前記第一の効果音の出力処理が終了する前に撮影が終了する場合は前記第一の効果音の出力終了に連動して前記出力処理手段による第二の効果音の出力処理を行うよう制御する制御手段とを有し、
前記制御手段は、前記出力処理手段が、
前記第一の効果音の後処理と前記第二の効果音の前処理のうちの少なくとも一部を省いた処理を行うよう制御し、
前記前処理は効果音のボリューム設定を含み、前記制御手段は、前記出力処理手段が、該第二の効果音のボリューム設定を省いた処理を行うように制御することを特徴とする撮像装置。
【請求項３】
前記制御手段は、
前記第一の効果音の出力処理が終了した後に前記撮影が終了する場合は、前記出力処理手段が前記第一の効果音の後処理と前記第二の効果音の前処理を省くことなく行うよう制御し、
前記第一の効果音の出力処理が終了する前に前記撮影が終了する場合は、前記出力処理手段が前記第一の効果音の後処理と前記第二の効果音の前処理のうちの少なくとも一部を省いた処理を行うよう制御することを特徴とする請求項１または２に記載の撮像装置。
【請求項４】
前記制御手段は、前記出力処理手段が前記第一の効果音の発音処理と前記第二の効果音の発音処理との間で第三の効果音の発音処理を行う場合には、
前記第一の効果音の後処理と前記第二の効果音の前処理とを行うよう制御することを特徴とする請求項１乃至３の何れか１項に記載の撮像装置。
【請求項５】
前記制御手段は、前記第一の効果音の音声データまたは前記第二の効果音の音声データのどちらか一方が存在しない場合は、前記出力処理手段が、存在する方の効果音の出力処理を前処理と後処理とを省略することなく行うよう制御することを特徴とする請求項１乃至４の何れか１項に記載の撮像装置。
【請求項６】
前記撮影の開始は前記撮像装置の操作部材が操作されたことによる露光処理の動作開始の指示あるいは露光開始の少なくとも一方であり、前記撮影の終了は露光終了であることを特徴とする請求項１乃至５の何れか１項に記載の撮像装置。
【請求項７】
前記後処理はスピーカーＯＦＦ設定を含み、前記前処理はスピーカーＯＮ設定を含み、前記制御手段は、前記第一の効果音の発音後のスピーカＯＦＦ設定及び前記第二の効果音の発音前のスピーカーＯＮ設定を省いた処理を行うように制御することを特徴とする請求項２に記載の撮像装置。
【請求項８】
前記前処理は周波数設定を含み、前記制御手段は、前記出力処理手段が、該第二の効果音の周波数設定を省いた処理を行うように制御することを特徴とする請求項１乃至７の何れか１項に記載の撮像装置。
【請求項９】
効果音の発音のための前処理と後処理と効果音の発音処理とを行う出力処理工程と、
撮影の開始に連動して前記出力処理工程による第一の効果音の出力処理を開始し、撮影の終了のタイミングに関わらず該第一の効果音の発音を最後まで行い、
前記第一の効果音の出力処理が終了した後に撮影が終了する場合は該撮影の終了に連動して前記出力処理工程による第二の効果音の出力処理を行うよう制御し、
前記第一の効果音の出力処理が終了する前に撮影が終了する場合は前記第一の効果音の出力終了に連動して前記出力処理工程による第二の効果音の出力処理を行うよう制御する制御工程とを有し、
前記制御工程は、前記出力処理工程が、
前記第一の効果音の後処理と前記第二の効果音の前処理のうちの少なくとも一部を省いた処理を行うよう制御し、
前記後処理はスピーカーＯＦＦ設定を含み、前記前処理はスピーカーＯＮ設定を含み、前記制御工程は、前記第一の効果音の発音後のスピーカＯＦＦ設定及び前記第二の効果音の発音前のスピーカーＯＮ設定を省いた処理を行うように制御することを特徴とする撮像装置の制御方法。
【請求項１０】
効果音の発音のための前処理と後処理と効果音の発音処理とを行う出力処理工程と、
撮影の開始に連動して前記出力処理工程による第一の効果音の出力処理を開始し、撮影の終了のタイミングに関わらず該第一の効果音の発音を最後まで行い、
前記第一の効果音の出力処理が終了した後に撮影が終了する場合は該撮影の終了に連動して前記出力処理工程による第二の効果音の出力処理を行うよう制御し、
前記第一の効果音の出力処理が終了する前に撮影が終了する場合は前記第一の効果音の出力終了に連動して前記出力処理工程による第二の効果音の出力処理を行うよう制御する制御工程とを有し、
前記制御工程は、前記出力処理工程が、
前記第一の効果音の後処理と前記第二の効果音の前処理のうちの少なくとも一部を省いた処理を行うよう制御し、
前記前処理は効果音のボリューム設定を含み、前記制御工程は、前記出力処理手段が、該第二の効果音のボリューム設定を省いた処理を行うように制御することを特徴とする撮像装置の制御方法。
【請求項１１】
コンピュータを、請求項１乃至８のいずれか１項に記載された撮像装置の各手段として機能させるためのプログラム。
【請求項１２】
コンピュータを、請求項１乃至８のいずれか１項に記載された撮像装置の各手段として機能させるためのプログラムを格納したコンピュータが読み取り可能な記録媒体。
【発明の詳細な説明】
【技術分野】
【０００１】
本発明は、撮像装置による撮影時の撮影期間に連動したシャッター効果音制御方法に関する。
【背景技術】
【０００２】
デジタルカメラでは、撮像素子の露光時間を電気的に制御することで被写体を撮影するため、機械的なシャッター音はほとんど発生しない。そこで従来、露光開始のタイミングと露光終了のタイミングで、あらかじめメモリに格納されたシャッター効果音（例えば「カッ」と「シャーン」）を出力することで、露光期間を把握しやすくするという提案がされている。
【０００３】
例えば特許文献１では、露光終了に連動して露光開始効果音の出力を中断して露光終了効果音を出力する方法や、露光開始効果音の出力が終わり次第露光終了効果音を出力する方法が示されている。
【０００４】
また特許文献２では、露光開始効果音の出力を停止して露光終了効果音を出力する方法や、露光開始または露光終了のいずれかのタイミングのみで所定のシャッター効果音（例えば「カッシャーン」）を出力する方法が示されている。
【０００５】
ところで、一般的な音出力処理では、効果音の発音処理の他に効果音を発音するための前処理と後処理が必要となる。効果音を発音するための前処理には、発音する効果音の周波数設定やボリューム設定、スピーカーＯＮ設定等が含まれ、後処理には、スピーカーＯＦＦ設定等が含まれる。効果音を発音するための前処理と後処理を行うことで、各効果音データをさまざまな設定で発音することができ、また、発音を行っていない間の省電力、ノイズ低減に役立つ。
【０００６】
シャッター効果音の出力処理においても、露光開始効果音を発音するための前処理と後処理、露光終了効果音を発音するための前処理と後処理を行うことで、露光開始効果音と露光終了効果音の間でのノイズの発生を防ぐことができる。
【特許文献１】特開２００３−３３８９５６
【特許文献２】特登録０３６３２６６８
【発明の開示】
【発明が解決しようとする課題】
【０００７】
しかしながら、露光期間が短い場合は露光開始効果音が露光期間中に鳴り終わらないという問題がある。この場合、特許文献１のように露光開始効果音の出力を中断して露光終了効果音を出力すると、露光開始効果音の発音が途切れるためシャッター効果音に違和感が感じられる。一方、特許文献２のように露光開始または露光終了のいずれかのタイミングのみでシャッター効果音を出力する場合は、シャッター効果音から露光期間を把握しにくい。さらに、露光期間に応じて異なるシャッター効果音制御及びシャッター効果音の音声データを備える必要があり、構成が複雑になる。
【０００８】
また、効果音の発音の際には前述のような前処理と後処理が行われるため、その分だけ実際の露光期間に対してシャッター効果音の発音期間に時間的な誤差が生じる。
【０００９】
そこで本発明では、撮影期間とシャッター効果音の発音期間との誤差が少なく違和感のないシャッター効果音の発音を実現するカメラを提供することを目的とする。
【課題を解決するための手段】
【００１０】
上記課題を解決するために、本発明の撮像装置は、
効果音の発音のための前処理と後処理と効果音の発音処理とを行う出力処理手段と、
撮影の開始に連動して前記出力処理手段による第一の効果音の出力処理を開始し、撮影の終了のタイミングに関わらず該第一の効果音の発音を最後まで行い、
前記第一の効果音の出力処理が終了した後に撮影が終了する場合は該撮影の終了に連動して前記出力処理手段による第二の効果音の出力処理を行うよう制御し、
前記第一の効果音の出力処理が終了する前に撮影が終了する場合は前記第一の効果音の出力終了に連動して前記出力処理手段による第二の効果音の出力処理を行うよう制御する制御手段とを有し、
前記制御手段は、前記出力処理手段が、
前記第一の効果音の後処理と前記第二の効果音の前処理のうちの少なくとも一部を省いた処理を行うよう制御し、
前記後処理はスピーカーＯＦＦ設定を含み、前記前処理はスピーカーＯＮ設定を含み、前記制御手段は、前記第一の効果音の発音後のスピーカＯＦＦ設定及び前記第二の効果音の発音前のスピーカーＯＮ設定を省いた処理を行うように制御することを特徴とする。
【発明の効果】
【００１１】
本発明によれば、撮影期間とシャッター効果音の発音期間との誤差が少なく、かつ違和感のないシャッター効果音の発音を実現することが可能となる。
【発明を実施するための最良の形態】
【００１２】
以下、図面を参照して本発明の好適な実施形態を説明する。
【００１３】
図１（ａ）に本発明の撮像装置の一例としてのデジタルカメラの外観図を示す。画像表示部２８は画像や各種情報を表示する表示部である。シャッターボタン６１は撮影指示を行うための操作部である。モードダイアル６０は各種モードを切り替えるための操作部である。コネクタ１１２は接続ケーブルとデジタルカメラ１００とのコネクタである。操作部７０はユーザーからの各種操作を受け付ける各種スイッチ、ボタン、タッチパネル等の操作部材より成る操作部である。記録媒体は２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となる。蓋２０３は記録媒体スロット２０１の蓋である。
【００１４】
図１ｂはデジタルカメラ１００の構成ブロック図の例である。
【００１５】
図１ｂにおいて、１００はデジタルカメラである。
【００１６】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１７】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１８】
２０は画像処理回路であり、Ａ／Ｄ変換器１６からのデータ或いはメモリ制御回路２２からのデータに対して所定の画素補間処理や色変換処理を行う。
【００１９】
また、画像処理回路２０においては、撮像した画像データを用いて所定の演算処理を行い、得られた演算結果に基づいてシステム制御回路５０が制御を行いＡＦ（オートフォーカス）処理、ＡＥ（自動露出）処理、ＥＦ（フラッシュプリ発光）処理を行っている。
【００２０】
さらに、画像処理回路２０においては、撮像した画像データを用いて所定の演算処理を行い、得られた演算結果に基づいてＴＴＬ方式のＡＷＢ（オートホワイトバランス）処理も行っている。
【００２１】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２２】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２３】
２４は画像表示メモリ、２６はＤ／Ａ変換器、２７はＤ／Ａ変換器２６の出力を外部モニタに出力するコネクタである。外部出力コネクタ２７にコネクタが挿されている場合は外部出力接続検知手段１０８によりシステム制御回路５０は外部出力状態を知る事が出来る。
【００２４】
２８はＴＦＴ  ＬＣＤ等から成る画像表示部であり、画像表示メモリ２４に書き込まれた表示用の画像データはＤ／Ａ変換器２６を介して画像表示部２８により表示される。
【００２５】
画像表示部２８を用いて撮像した画像データを逐次表示すれば、電子ファインダー機能を実現することが可能である。
【００２６】
また、画像表示部２８は、システム制御回路５０の指示により任意に表示をＯＮ／ＯＦＦすることが可能であり、表示をＯＦＦにした場合にはデジタルカメラ１００の電力消費を大幅に低減することが出来る。
【００２７】
さらに、画像表示部２８は、回転可能なヒンジ部によってデジタルカメラ１００本体と結合されており、自由な向き、角度を設定して電子ファインダー機能や再生表示機能、各種表示機能を使用することが可能である。
【００２８】
また、画像表示部２８の表示部分をデジタルカメラ１００に向けて格納することが可能であり、この場合は画像表示部開閉検知手段１０６により、格納状態を検知して画像表示部２８の表示動作を停止することが出来る。
【００２９】
３０は撮影した静止画像や動画像を格納するためのメモリであり、所定枚数の静止画像や所定時間の動画像を格納するのに十分な記憶量を備えている。
【００３０】
これにより、複数枚の静止画像を連続して撮影する連射撮影やパノラマ撮影の場合にも、高速かつ大量の画像書き込みをメモリ３０に対して行うことが可能となる。
【００３１】
また、メモリ３０はシステム制御回路５０の作業領域としても使用することが可能である。メモリ３０は、記録媒体２００や２１０の書き込みバッファとしても使われる。
【００３２】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３３】
４０は絞り機能を備えるシャッター１２を制御する露光制御手段であり、フラッシュ４８と連携することによりフラッシュ調光機能も有するものである。
【００３４】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００３５】
４８はフラッシュであり、ＡＦ補助光の投光機能、フラッシュ調光機能も有する。
【００３６】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００３７】
５０はデジタルカメラ１００全体を制御するシステム制御回路である。システム制御回路５０は、不揮発性メモリ５６に記録されたプログラムを実行することで、後述する各実施例の処理を実現する。
【００３８】
５２はシステム制御回路５０の動作用の定数、変数、不揮発性メモリ５６から読み出したプログラム等を展開するメモリである。
【００３９】
５４はシステム制御回路５０でのプログラムの実行に応じて、文字、画像、音声等を用いて動作状態やメッセージ等を表示する液晶表示装置、スピーカー等の表示部である。表示部５４はデジタルカメラ１００の操作部近辺の視認し易い位置に単数或いは複数個所設置され、例えばＬＣＤやＬＥＤ、発音素子等の組み合わせにより構成されている。また、表示部５４は、その一部の機能が光学ファインダー１０４内に設置されている。
【００４０】
表示部５４の表示内容のうち、ＬＣＤ等に表示するものとしては、絞り値表示、露出補正表示、フラッシュ表示、マクロ撮影表示、ブザー設定表示、電池残量表示、エラー表示、記録媒体２００及び２１０の着脱状態表示等がある。
【００４１】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００４２】
５６は電気的に消去・記録可能な不揮発性メモリであり、例えばＥＥＰＲＯＭ等が用いられる。不揮発性メモリ５６には、システム制御回路５０の動作用の定数、プログラム等が記憶される。ここでいう、プログラムとは、後述の各実施例における各種フローチャートを実行するためのプログラムのことである。
【００４３】
５８は記録媒体２００や２１０のデータ記録速度や、取得するデータのデータレートを測定するために使われるタイマである。
【００４４】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００４５】
ここで、これらの操作手段の具体的な説明を行う。
【００４６】
６０はモードダイアルスイッチで、電源オフ、自動撮影モード、撮影モード（パノラマ撮影モード、動画撮影モード含む）、再生モード、マルチ画面再生・消去モード、ＰＣ接続モード等の各機能モードを切り替え設定することが出来る。
【００４７】
６２はシャッタースイッチＳＷ１で、シャッターボタン６１の操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００４８】
６４はシャッタースイッチＳＷ２で、シャッターボタン６１の操作完了でＯＮとなり、撮像素子１４から読み出した信号をＡ／Ｄ変換器１６、メモリ制御回路２２を介してメモリ３０に画像データを書き込む露光処理の動作開始を指示する。同時に、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。また動画撮影の場合は動画撮影の開始・停止を指示する。
【００４９】
６６は画像表示ＯＮ／ＯＦＦスイッチで、画像表示部２８のＯＮ／ＯＦＦを設定することが出来る。
【００５０】
この機能により、光学ファインダー１０４を用いて撮影を行う際に、ＴＦＴ  ＬＣＤ等から成る画像表示部への電流供給を遮断することにより、省電力を図ることが可能となる。
【００５１】
６８はクイックレビューＯＮ／ＯＦＦスイッチで、撮影直後に撮影した画像データを自動再生するクイックレビュー機能を設定する。なお、本実施例では特に、画像表示部２８をＯＦＦとした場合におけるクイックレビュー機能の設定をする機能を備えるものとする。
【００５２】
操作部７０は各種ボタンやタッチパネル等からなる。具体的に例示すると以下の通りとなる。メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン。再生画像移動＋（プラス）ボタン、再生画像−（マイナス）ボタン、撮影画質選択ボタン、露出補正ボタン、日付／時間設定ボタン。各種機能の選択及び切り替えを設定する選択／切り替えボタン、各種機能の決定及び実行を設定する決定ボタン。画像表示部２８のＯＮ／ＯＦＦを設定する表示ボタン。撮影直後に撮影した画像データを自動再生するクイックレビュー機能を設定するクイックレビューＯＮ／ＯＦＦスイッチ。撮影時にズームと広角を調節する、あるいは再生時に拡大／縮小を調節する、１画面表示／マルチ画面表示を切り替えるズーム操作部。ＪＰＥＧ（Ｊｏｉｎｔ  Ｐｈｏｔｏｇｒａｐｈｉｃ  Ｅｘｐｅｒｔ  Ｇｒｏｕｐ）圧縮の圧縮率を選択するため、或いは撮像素子の信号をそのままデジタル化して記録媒体に記録するＣＣＤＲＡＷモードを選択するための圧縮モードスイッチ。
【００５３】
電源制御手段８０は、電池の装着の有無、電池の種類、電池残量の検出を行い、検出結果及びシステム制御回路５０の指示に基づいて、必要な電圧を必要な期間、記録媒体を含む各部へ供給する。
【００５４】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００５５】
９０及び９４はメモリカードやハードディスク等の記録媒体とのインタフェースである。９２及び９６はメモリカードやハードディスク等の記録媒体と接続を行うコネクタである。９８はコネクタ９２及び或いはコネクタ９６に記録媒体２００或いは２１０が装着されているか否かを検知する記録媒体着脱検知手段である。
【００５６】
なお、本実施例では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００５７】
インターフェース及びコネクタとしては、ＰＣＭＣＩＡカードやＣＦ（コンパクトフラッシュ（登録商標））カード等の規格に準拠したものを用いて構成して構わない。
【００５８】
さらに、インタフェース９０及び９４、そしてコネクタ９２及び９６に各種通信カードを接続することにより、他機器との間で画像データや画像データに付属した管理情報を転送し合うことが出来る。
【００５９】
１０２は、デジタルカメラ１００のレンズ１０を含む撮像部を覆う事により、撮像部の汚れや破損を防止するバリアである保護手段である。
【００６０】
１０４は光学ファインダであり、画像表示部２８による電子ファインダー機能を使用すること無しに、光学ファインダのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００６１】
１０６は画像表示部開閉検知手段であり、画像表示部２８が、画像表示部２８の表示部分をデジタルカメラ１００に向けて格納した格納状態にあるかどうかを検知することが出来る。
【００６２】
ここで、格納状態にあると検知したならば画像表示部２８の表示動作を停止して不要な電力消費を禁止することが可能である。
【００６３】
１０８は外部出力コネクタ接続検知手段であり、外部出力コネクタ２７に外部モニタが接続されているかどうかを検知することが出来る。ここで、接続状態にあると検知したならば画像表示部２８の代わりに外部モニタを表示装置として用いることが可能である。
【００６４】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００６５】
１１２は通信手段１１０によりデジタルカメラ１００を他の機器と接続するコネクタ或いは無線通信の場合はアンテナである。
【００６６】
１１４はマイクで、音声データ取得手段である。１１６はマイク１１４で得られた音声データをシステム制御回路５０で取得するためにＡ／Ｄ変換するＡ／Ｄ変換機である。
【００６７】
１１８はスピーカーで、音声データ再生手段である。１２０はシステム制御回路５０から出力されるデジタル音声データをスピーカー１１８で再生するためにＤ／Ａ変換するＤ／Ａ変換機である。
【００６８】
２００はメモリカードやハードディスク等の記録媒体である。
【００６９】
記録媒体２００は、半導体メモリや磁気ディスク等から構成される記録部２０２、デジタルカメラ１００とのインタフェース２０４、デジタルカメラ１００と接続を行うコネクタ２０６を備えている。
【００７０】
また、この記録媒体２００がＰＣＭＣＩＡ規格のＰＣ−ＣａｒｄやＣｏｍｐａｃｔＦｌａｓｈ等の場合は、性能が記されている情報記憶回路を内蔵している事もある。
【００７１】
２１０はメモリカードやハードディスク等の記録媒体である。
【００７２】
記録媒体２１０は、半導体メモリや磁気ディスク等から構成される記録部２１２、デジタルカメラ１００とのインタフェース２１４、デジタルカメラ１００と接続を行うコネクタ２１６を備えている。
【００７３】
また、この記録媒体２１０がＰＣＭＣＩＡ規格のＰＣ−ＣａｒｄやＣｏｍｐａｃｔＦｌａｓｈ等の場合は、性能が記されている情報記憶回路を内蔵している事もある。
【００７４】
図２はデジタルカメラ１００による一般的な効果音出力処理の概念図である。
【００７５】
効果音出力処理では、システム制御回路５０はメモリ５２内の効果音の音声データ（以下、効果音データ）をスピーカー１１８から発音させるための前処理及び後処理を行う。前処理では、効果音データの周波数設定、ボリューム設定、スピーカーＯＮなどの処理を行う。発音処理ではスピーカー１１８から実際に効果音（例えば「カッシャーン」）が発音される。後処理では、スピーカーＯＦＦなどの処理を行う。効果音出力処理で実際に発音されるのは発音処理時のみで、前処理時及び後処理時は無音である。前処理及び後処理の時間の分だけ、効果音出力処理開始から実際に発音が始まるまでにタイムラグが生じることになる。後述する各実施例では、露光期間を把握しやすくするために、第一の効果音として露光開始効果音（例えば「カッ」）と、第二の効果音として露光終了効果音（例えば「シャ−ン」）を出力するものとして説明する。
【００７６】
以下、図３〜図８を参照して、本発明の各実施例の動作を説明する。
【００７７】
以下の実施例においては、撮影の開始と終了として露光の開始と終了を例として説明するが、撮影の開始と終了とみなして第一の効果音と第二の効果音でユーザに通知するものとしては露光に限らなくてもよい。撮影の開始に相当するものの例としては露光の開始以外に、シャッタースイッチＳＷ２による撮影の一連の動作の開始指示等が考えられる。また、撮影の終了に相当するものの例としては露光の終了以外に、撮像素子１４からの信号の読み出しの開始、読み出した画像データの現像処理の開始又は終了、圧縮、記録等の一連の処理の各タイミングが考えられる。
【００７８】
＜実施例１＞
実施例１では、露光開始効果音の後処理と露光終了効果音の前処理の一部を省略する例を述べる。
【００７９】
図３はデジタルカメラ１００において本発明を適用しなかった場合に、露光開始効果音の出力終了後に露光が終了する場合のシャッター効果音出力処理のタイミングチャートである。シャッタースイッチＳＷ２の操作が時刻ｔ０に行われると、ＡＦやＡＥなどの撮影開始処理を行い、その後時刻ｔ１において撮像素子１４の露光を開始するとともに、露光開始効果音（例えば「カッ」）の出力処理を開始する。露光開始効果音の出力処理では、時刻ｔ１より前処理が開始され、時刻ｔ２から発音処理が行われ（スピーカー１１８から露光開始効果音が発音される）、時刻ｔ３から後処理が行われ、時刻ｔ４に露光開始効果音の出力処理を終了する。すなわち各処理に要する時間は、前処理ｔ２−ｔ１、発音処理ｔ３−ｔ２、後処理ｔ４−ｔ３である。その後、時刻ｔ５において撮像素子１４の露光を終了すると、それに連動して露光終了効果音（例えば「シャーン」）の出力処理を開始する。露光終了効果音の出力処理では、時刻ｔ５から前処理が行われ、時刻ｔ６から発音処理が行われ（スピーカー１１８から露光終了効果音が発音される）、時刻ｔ７から後処理が行われ、時刻ｔ８で露光終了効果音の出力処理を終了する。ここで各処理に要する時間は、前処理ｔ６−ｔ５、発音処理ｔ７−ｔ６、後処理ｔ８−ｔ７である。前処理及び後処理中は無音であるため、例えば露光終了効果音の出力処理ではｔ６−ｔ５だけ遅れて発音が始まることになる。
【００８０】
図４はデジタルカメラ１００において本発明を適用した場合に、露光開始効果音の出力終了後に露光が終了する場合のシャッター効果音出力処理のタイミングチャートである。露光開始効果音と露光終了効果音の周波数やボリュームが同一の設定で良い場合は、これらの設定は露光開始効果音の前処理時に一度行っておけばよい。また、露光開始効果音の出力と露光終了効果音の出力との間で発生するスピーカー１１８のノイズが無視できる場合は、２音の間でスピーカー１１８をＯＦＦしておく必要は無い。そこで図４では、露光開始効果音の出力処理において、後処理でのスピーカーＯＦＦ設定を省略する。さらに、露光終了効果音の出力処理において、前処理での周波数設定、ボリューム設定、スピーカーＯＮ設定を省略する。
【００８１】
図４のタイミングチャートについて説明する。シャッタースイッチＳＷ２の操作が時刻ｔ０に行われてから、露光開始効果音の発音処理が終了して後処理が始まる時刻ｔ３までの処理とタイミングは前述した図３と同様である。時刻ｔ３から始まる後処理では、図３で行っていたスピーカーＯＦＦ設定を省略する。その分、図４では図３に比べて後処理の終了する時刻ｔ４が早まる。その後、時刻ｔ５において撮像素子１４の露光を終了すると、それに連動して露光終了効果音の出力処理を開始する。露光終了効果音の出力処理では、時刻ｔ５から前処理が行われ、時刻ｔ６から発音処理が行われ、時刻ｔ７から後処理が行われ、時刻ｔ８で露光終了効果音の出力処理を終了する。この図４の時刻ｔ５から始まる露光終了効果音の出力処理における前処理では、図３で行っていた周波数設定、ボリューム設定、スピーカーＯＮ設定を省略する。その分、図４では図３に比べて露光終了効果音の発音を開始する時刻ｔ６が早まる。
【００８２】
以上のように、本実施例では、本発明を適用しなかった場合の図３と比較して露光開始効果音の後処理に要する時間ｔ４−ｔ３及び露光終了効果音の前処理に要する時間ｔ６−ｔ５を短くすることができる。これにより、露光終了効果音出力処理開始から実際に発音が始まるまでのタイムラグを小さくすることができる。
【００８３】
図５は露光開始効果音の出力終了前に露光が終了する場合のシャッター効果音出力処理の、従来例のタイミングチャートと、本発明を適用した場合のタイミングチャートである。
【００８４】
図５の従来例のタイミングチャートを説明する。シャッタースイッチＳＷ２の操作が時刻ｔ０に行われると、その後時刻ｔ１において撮像素子１４の露光を開始するとともに、露光開始効果音の出力処理を開始する。露光開始効果音の出力処理では、時刻ｔ１より前処理が開始され、時刻ｔ２から発音処理が行われ、スピーカー１１８から露光開始効果音が発音される。その後、露光開始効果音の出力終了前に時刻ｔ３で露光が終了するが、露光開始効果音の発音は最後まで行う（「カッ」という音が鳴り終わるまで行う）。露光開始効果音の発音が時刻ｔ４で終了すると後処理が行われる。この後処理ではスピーカーＯＦＦなどの処理を行う。露光開始効果音の後処理が時刻ｔ７で終了するとすぐ、続けて露光終了効果音の前処理が行われる。この前処理では効果音データの周波数設定、ボリューム設定、スピーカーＯＮなどの処理を行う。前処理を時刻ｔ８において終了すると、発音処理を開始する。その後、時刻ｔ１１で露光終了効果音の発音処理を終了して後処理を開始し、時刻ｔ１２において露光終了効果音の後処理を終了する。
【００８５】
図５の本発明を適用した場合のタイミングチャートを説明する。露光開始効果音の発音が終了するまでは従来例と同様である。露光開始効果音の発音が時刻ｔ４で終了すると後処理が行われる。この後処理ではスピーカーＯＦＦ設定を省略する。露光開始効果音の後処理が時刻ｔ５終了するとすぐ、続けて露光終了効果音の前処理が行われる。この前処理では周波数設定、ボリューム設定、スピーカーＯＮ設定を省略する。前処理を時刻ｔ６において終了すると、発音処理を開始する。これにより、露光開始効果音の後処理と露光終了効果音の前処理にかかる時間を短くすることができる。その後、時刻ｔ９で露光終了効果音の発音処理を終了して後処理を開始し、時刻ｔ１０において露光終了効果音の後処理を終了する。
【００８６】
以上のように、本実施例によれば露光開始効果音の発音処理と露光終了効果音の発音処理との間にかかる時間を従来例のｔ６−ｔ４からｔ５−ｔ４に短くすることができる。つまり、露光終了効果音の発音を従来例より早いタイミングで行うことができ、露光期間とシャッター効果音の発音期間との誤差を小さくすることが可能となる。
【００８７】
なお、露光開始効果音の後処理及び露光終了効果音の前処理の省略は、本実施例においては一部の処理について省略するとしたが、露光開始効果音の後処理や露光終了効果音の前処理に含まれる全ての処理を省略できるならば省略は一部の処理に限らない。またこの省略を無条件で常に行うようにしても良いし、露光開始効果音の出力終了前に露光が終了する場合にのみ行うようにしても良い。露光開始効果音の出力終了前に露光が終了する場合にのみ行う場合については、後述する実施例２において詳述する。また、露光期間が所定の時間より短い場合にのみ行うようにしても良い。
【００８８】
さらに、露光開始効果音と露光終了効果音のうち、どちらか一方の効果音の音声データがメモリ５２内に存在しない場合は、存在する方の効果音の音声データのみを出力し、その際の前処理及び後処理は省略せずに行うようにしても良い。
【００８９】
また、図５で説明した露光開始効果音の出力終了前に露光が終了する場合のシャッター効果音出力処理では、露光開始効果音の出力終了を待って露光終了効果音の出力を開始する構成とした。これは露光が終了したからといって露光開始効果音を途中で中断すると違和感のある発音になるためである。しかし２音を重ねて発音することが可能なシステムの場合は、露光開始効果音の出力終了を待たずに、露光終了のタイミングで露光終了効果音の出力を重ねて開始しても良い。このようにすれば、露光期間に対してより誤差の少ないシャッター効果音の出力をすることが可能となる。この際、露光が終了するより前に露光終了効果音の前処理を行っておけばさらに誤差の少ないシャッター効果音の出力をすることが可能となる。
【００９０】
＜実施例２＞
実施例２では、露光開始効果音の後処理及び露光終了効果音の前処理の省略を、露光開始効果音の出力終了前に露光が終了する場合にのみ行うようにした例を説明する。
【００９１】
図８は、露光開始効果音の出力終了前に露光が終了する場合にのみ露光開始効果音の後処理及び露光終了効果音の前処理を省略する場合のシャッター効果音出力処理のフローチャートである。このシャッター効果音出力処理における各処理は、システム制御回路５０が不揮発性メモリ５６等に格納されたプログラムをメモリ５２に展開して実行することにより実現される。
【００９２】
シャッタースイッチＳＷ２が操作されるとシャッター効果音出力処理が開始される。シャッター効果音出力処理ではまず、ステップＳ２０１において撮影を開始するための撮影開始処理を行う。撮影開始処理が終了し撮影準備が完了するとステップＳ２０２において撮像素子１４の露光を開始する。続いて露光開始効果音（例えば「カッ」）を発音するための前処理としてステップＳ２０３で周波数設定、ステップＳ２０４でボリューム設定、ステップＳ２０５でスピーカーＯＮ設定を行う。ステップＳ２０３〜Ｓ２０５の前処理が終了するとステップＳ２０６で露光開始効果音の発音を開始する。
【００９３】
ステップＳ２０７では露光開始効果音の発音処理が終了したかどうか、すなわち露光開始効果音が出力処理中であるか否かを判定する。露光開始効果音の発音が終了していなければＳ２０８へ、露光開始効果音の発音が終了していればステップＳ２１２へ進む。
【００９４】
Ｓ２０８では露光が終了したかどうかを判定し、露光が終了していなければＳ２０７へ戻る。Ｓ２０８において露光が終了していれば、Ｓ２０９へ進み、露光開始効果音の発音処理が終了するのを待つ。露光開始効果音の発音処理が終了したら、ステップＳ２１０へ進み、続けて露光終了効果音（例えば「シャーン」）の発音処理を行う。露光終了効果音の発音が終了するとステップＳ２１１でスピーカーをＯＦＦし、シャッター効果音出力処理を終了する。
【００９５】
一方、Ｓ２０７において露光開始効果音の発音処理が終了していればＳ２１２へ進む。Ｓ２１２では露光開始効果音の終了処理としてスピーカーをＯＦＦし、ステップＳ２１３で露光が終了するのを待つ。露光が終了するとステップＳ２１４へ進み、露光終了効果音の前処理としてステップＳ２１４で周波数設定、ステップＳ２１５でボリューム設定、ステップＳ２１６でスピーカーＯＮ設定を行う。ステップＳ２１４〜Ｓ２１６処理が終了したら、ステップＳ２１０へ進み露光終了効果音の発音処理を行う。露光終了効果音の発音が終了するとステップＳ２１１でスピーカーをＯＦＦし、シャッター効果音出力処理を終了する。
【００９６】
本実施例に拠れば、露光開始効果音の出力期間に対して露光期間が短い場合は、露光終了効果音の発音を従来例より早いタイミングで行うことができ、露光期間とシャッター効果音の発音期間との誤差を小さくすることが可能となる。この際、露光開始効果音と露光終了効果音の間に期間が無いため、この間のノイズの発生や電力については考慮する必要がない。一方、露光開始効果音の出力期間に対して露光期間が長い場合は、露光開始効果音と露光終了効果音の間に期間があるが、スピーカーをＯＦＦしているため、発音を行っていない間の省電力、ノイズ低減をすることが可能となる。以上のように露光期間に応じた最適なシャッター効果音の出力が可能となる。
【００９７】
＜実施例３＞
実施例３では、露光開始効果音の出力と露光終了効果音の出力との間で第三の効果音の出力を行う場合の例を説明する。第三の効果音としては、例えば露光期間中に記録媒体スロット２０１の蓋２０３が開けられた場合に、記録媒体２００を記録媒体スロット２０１から抜かないようにユーザに警告する為の警告音などが考えられる。
【００９８】
図６は実施例３におけるシャッター効果音出力処理のタイミングチャートである。シャッタースイッチＳＷ２の操作が時刻ｔ０に行われると、その後時刻ｔ１において撮像素子１４の露光を開始するとともに、露光開始効果音（例えば「カッ」）の出力処理を開始する。露光開始効果音の出力処理では、時刻ｔ１より前処理が開始され、時刻ｔ２から発音処理が行われ（スピーカー１１８から露光開始効果音が発音される）、時刻ｔ３から時刻ｔ４まで後処理が行われる。ここでの後処理では、実施例１と同様にスピーカーＯＦＦ設定や、その他の省略可能な設定を省略する。ここで、露光が終了する前の時刻ｔ５において、周波数やボリュームがシャッター効果音と同一の設定では出力を行えない第三の効果音（例えば「ピー」）の出力要求が発生する。このような場合には、第三の効果音の発音のために周波数、ボリュームを設定しなおす必要がある。したがって、時刻ｔ５から露光開始効果音の後処理で省略した処理のうち必要な処理については改めて行い、続けて第三の効果音の発音処理としての前処理を行う。続けて時刻ｔ６にから第三の効果音の発音処理が開始され（スピーカー１１８から第三の効果音が発音される）、第三の効果音の発音処理が終了すると時刻ｔ７で第三の効果音の後処理を開始し、時刻ｔ８で第三の効果音の出力処理を終了する。時刻ｔ９で露光が終了すると露光終了効果音（例えば「シャーン」）の出力処理を開始する。第三の効果音の出力処理の後であるため、ここでの露光終了効果音の前処理の周波数、ボリューム設定は省略せずに行う必要がある。その後、時刻ｔ１０で露光終了効果音の発音処理を開始し、時刻ｔ１１で露光終了効果音の後処理を行い、時刻ｔ１２で露光終了効果音の出力処理を終了する。このように、露光開始効果音の出力と露光終了効果音の出力との間で第三の効果音の出力を行う場合は、露光開始効果音、第三の効果音、露光終了効果音のそれぞれの前処理、後処理の省略できる部分が少なくなる。なお、スピーカーＯＮのように、省略できる処理は省略しても良い。
【００９９】
図７は実施例３のシャッター効果音出力処理のフローチャートである。このシャッター効果音出力処理における各処理は、システム制御回路５０が不揮発性メモリ５６等に格納されたプログラムをメモリ５２に展開して実行することにより実現される。
【０１００】
ステップＳ１０１〜Ｓ１０６は前述した図８のステップＳ２０１〜２０６と同様であるので説明を省略する。
【０１０１】
ステップＳ１０６で露光開始効果音の発音処理が開始終了するとステップＳ１０７へ進む。本実施例では、露光開始効果音の後処理はスピーカーＯＦＦ設定だけであるものとし、スピーカーＯＦＦ設定に関しては省略してステップＳ１０７に進む。
【０１０２】
ステップＳ１０７では第三の効果音の出力要求が発生しているかどうかを判定する。第三の効果音の出力要求が発生していればステップＳ１０８へ進み、第三の効果音の出力要求が発生していなければステップＳ１１１に進む。
【０１０３】
ステップＳ１０８からは第三の効果音を発音するための前処理を行う。第三の効果音の出力処理に際し、露光開始効果音の後処理で省略したスピーカＯＦＦ設定については改めて行う必要が無く、第三の効果音での前処理においてもスピーカＯＮ設定を省略できる。そのため、第三の効果音の出力要求があってから改めて露光開始効果音の後処理を行うことはせず、ステップＳ１０８から第三の効果音の前処理を開始している。これにより第三の効果音の出力要求があってから実際に第三の効果音を発音するまでのタイムラグを少なくすることができる。なお、第三の効果音の出力処理に際して、露光開始効果音の後処理で省略した処理を改めて行う必要があるのであれば、ステップＳ１０８の前に行う。
【０１０４】
ステップＳ１０８で周波数設定、ステップＳ１０９でボリューム設定を行い、ステップＳ１１０で第三の効果音の発音処理を行い、発音処理が終了すると後処理を行う。なお、ここでの後処理についてもスピーカの設定等、省略できるものに関しては省略する。第三の効果音の後処理が終了するとＳ１０７に戻る。
【０１０５】
ステップＳ１１１では露光が終了したかどうかを判定し、終了していなければステップＳ１０７に戻る。露光が終了すると、ステップＳ１１２へ進む。
【０１０６】
ステップＳ１１２では露光期間中に第三の効果音を発音したかどうかを判定し、発音していない場合はステップＳ１１５へ進む。ステップＳ１１２において露光期間中に第三の効果音を発音した場合は、ステップＳ１１３に進む。露光期間中に第三の効果音を発音した場合は、第三の効果音の出力処理と同じ周波数、ボリュームの設定では露光終了効果音の出力処理が行えないため、露光終了効果音を発音するためにステップＳ１１３で周波数設定、ステップＳ１１４でボリューム設定を行う。ただし、スピーカの設定ついては必要が無いので省略する。
【０１０７】
ステップＳ１１２で露光期間中に第三の効果音を発音していないと判定された場合は、直前に行った露光開始効果音の出力処理と同じ周波数、ボリュームの設定で露光終了効果音の出力処理が行える。そのため、ステップＳ１１３、ステップＳ１１４の前処理を省略してステップＳ１１５へ進む。
【０１０８】
ステップＳ１１５では露光終了効果音の発音を開始する。露光終了効果音の発音処理が終了すると、ステップＳ１１６でスピーカーＯＦＦ設定を行い、シャッター効果音出力処理が終了する。
【０１０９】
本実施例によれば、露光開始効果音の出力と露光終了効果音の出力との間で第三の効果音の出力要求が発生した場合にも、必要最小限の露光開始効果音の後処理及び露光終了効果音の前処理で各効果音の出力を行う事ができる。
【０１１０】
以上説明したように、本発明によれば、露光開始時のシャッター効果音の出力終了前に露光が終了する場合でも、露光期間とシャッター効果音の発音期間との誤差が少なく、違和感のないシャッター効果音の発音を実現することが可能となる。
【０１１１】
また、露光期間が短かった場合のためのシャーター効果音を別途もつ必要が無く、露光開始効果音と露光終了効果音の２音で露光期間が短かい場合にも長い場合にも対応できる。そのため、単純な構成で、露光期間とシャッター効果音の発音期間との誤差が少なく、違和感のないシャッター効果音の発音を実現することが可能となる。
【０１１２】
なお、上述した実施の形態の処理は、各機能を具現化したソフトウェアのプログラムコードを記録した記憶媒体をシステム或いは装置に提供してもよい。そして、そのシステム或いは装置のコンピュータ（又はＣＰＵやＭＰＵ）が記憶媒体に格納されたプログラムコードを読み出し実行することによって、前述した実施形態の機能を実現することができる。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスクなどを用いることができる。或いは、ＣＤ−ＲＯＭ、ＣＤ−Ｒ、磁気テープ、不揮発性のメモリカード、ＲＯＭなどを用いることもできる。
【０１１３】
また、コンピュータが読み出したプログラムコードを実行することにより、前述した各実施の形態の機能が実現されるだけではない。そのプログラムコードの指示に基づき、コンピュータ上で稼動しているＯＳ（オペレーティングシステム）などが実際の処理の一部又は全部を行い、その処理によって前述した各実施例の機能が実現される場合も含まれている。
【０１１４】
さらに、記憶媒体から読み出されたプログラムコードが、コンピュータに挿入された機能拡張ボードやコンピュータに接続された機能拡張ユニットに備わるメモリに書きこまれてもよい。その後、そのプログラムコードの指示に基づき、その機能拡張ボードや機能拡張ユニットに備わるＣＰＵなどが実際の処理の一部又は全部を行い、その処理によって前述した各実施の形態の機能が実現される場合も含むものである。
【図面の簡単な説明】
【０１１５】
【図１】（ａ）本発明の一実施例のとしてのデジタルカメラの外観図である。（ｂ）本発明の一実施例のとしてのデジタルカメラの構成ブロック図である。
【図２】一般的な効果音出力処理の概念図である。
【図３】露光開始効果音の出力終了後に露光が終了する場合に本発明を適用しなかった場合のシャッター効果音出力処理のタイミングチャートである。
【図４】露光開始効果音の出力終了後に露光が終了する場合に本発明を適用した場合のシャッター効果音出力処理のタイミングチャートである。
【図５】露光開始効果音の出力終了前に露光が終了する場合に、本発明を適用しなかった場合と、本発明を適用した場合のシャッター効果音出力処理のタイミングチャートである。
【図６】露光開始効果音の出力と露光終了効果音の出力との間で第三の効果音の出力を行う場合のシャッター効果音出力処理のタイミングチャートである。
【図７】実施例３のシャッター効果音出力処理のフローチャートである。
【図８】実施例２のシャッター効果音出力処理のフローチャートである。
【符号の説明】
【０１１６】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  システムメモリ
５４  表示部
５６  不揮発性メモリ
６０  モードダイアル
６１  シャッターボタン
６２  シャッタースイッチＳＷ１
６４  シャッタースイッチＳＷ２
６６  画像表示ＯＮ／ＯＦＦスイッチ
６８  クイックレビューＯＮ／ＯＦＦスイッチ
７０  操作部
８０  電源制御手段
８２  コネクタ
８４  コネクタ
８６  電源手段
９０  インタフェース
９２  コネクタ
９４  インタフェース
９６  コネクタ
９８  記録媒体着脱検知手段
１００  デジタルカメラ
１０２  保護手段
１０４  光学ファインダ
１１０  通信手段
１１２  コネクタ（またはアンテナ）
１１８  スピーカー
２００  記録媒体
２０２  記録部
２０４  インタフェース
２０６  コネクタ
２１０  記録媒体
２１２  記録部
２１４  インタフェース
２１６  コネクタ
【図１】
0005455295.tif 000002
【図２】
0005455295.tif 000003
【図３】
0005455295.tif 000004
【図４】
0005455295.tif 000005
【図５】
0005455295.tif 000006
【図６】
0005455295.tif 000007
【図７】
0005455295.tif 000008
【図８】
0005455295.tif 000009